(57)【要約】【課題】コスト増を抑制しつつ業務効率向上ならびに顧客サービス向上を図ることができる現金処理システムの提供。【解決手段】窓口操作員により操作される窓口操作機１１と、入金紙幣を金種別に収納するとともに当該収納した収納紙幣を払い出す紙幣収納部を有する現金処理機１２と、を備えた現金処理システム１０であって、窓口操作機１１の入力手段１５の周辺での指先Ｆの動きを検出するモーションセンサ１３と、モーションセンサ１３の検出結果から取引を予測して当該取引に対応する準備動作を紙幣収納部に実行させる制御手段とを有する。【選択図】図１
2016009295.tif 000002
【特許請求の範囲】
【請求項１】
窓口操作員により操作される窓口操作機と、
入金紙幣を金種別に収納するとともに当該収納した収納紙幣を払い出す紙幣収納部を有する現金処理機と、を備えた現金処理システムであって、
前記窓口操作機の入力手段の周辺での指先の動きを検出するモーションセンサと、
該モーションセンサの検出結果から取引を予測して当該取引に対応する準備動作を前記紙幣収納部に実行させる制御手段とを有することを特徴とする現金処理システム。
【請求項２】
前記制御手段は、前記モーションセンサの検出結果から入金取引有りを予測した場合に、入金紙幣を取り込む入金動作の準備動作を前記紙幣収納部に実行させることを特徴とする請求項１記載の現金処理システム。
【請求項３】
前記入金動作の準備動作は、入金紙幣を受け取る受取部材を上部の紙幣取込部に向けて上昇させる動作を含むことを特徴とする請求項２記載の現金処理システム。
【請求項４】
前記制御手段は、前記モーションセンサの検出結果から払い出し取引有りを予測した場合に、収納紙幣を払い出す払い出し動作の準備動作を前記紙幣収納部に実行させることを特徴とする請求項１から３のいずれか一項記載の現金処理システム。
【請求項５】
前記払い出し動作の準備動作は、収納紙幣を支持する支持部材を上部の紙幣払出部に向けて上昇させる動作を含むことを特徴とする請求項４記載の現金処理システム。
【請求項６】
前記現金処理機は、所定時間未使用状態が続くと省電力状態となり、
前記制御手段は、前記モーションセンサの検出結果から操作の開始有りを予測すると前記現金処理機の省電力状態を解除することを特徴とする請求項１から５のいずれか一項記載の現金処理システム。
【請求項７】
前記制御手段は前記現金処理機に設けられており、
前記モーションセンサが前記現金処理機に直接接続されていることを特徴とする請求項１から６のいずれか一項記載の現金処理システム。
【発明の詳細な説明】
【技術分野】
【０００１】
本発明は、現金の入出金が可能な現金処理システムに関する。
【背景技術】
【０００２】
業務効率向上ならびに顧客サービス向上等の観点から、現金処理システムにおいて処理に要する時間を短縮する要望がある。例えば、分別を行わない回収時に紙幣の繰り出しの間隔を、分別を行う場合と比べて短くして回収の処理時間を短縮して業務効率向上を図るものがある（例えば、特許文献１参照）。
【先行技術文献】
【特許文献】
【０００３】
【特許文献１】特開平５−５４２２３号公報
【発明の概要】
【発明が解決しようとする課題】
【０００４】
現金処理システムにおいては、所定のキー操作入力が行われることによって、入金貨幣を金種別に収納する入金モードを実行するようになっており、所定のキー操作入力が行われることによって、収納している収納貨幣を払い出す払い出しモードを実行するようになっている。
【０００５】
ところで、特に、入金紙幣を金種別に収納するとともにこのように収納した収納紙幣を出金用として払い出す還流式の現金処理機を用いたシステムでは、実際に入金紙幣を受け入れ可能な状態となるまでに時間を要する場合があり、あるいは、実際に収納紙幣を払い出し可能な状態となるまでに時間を要する場合がある。よって、これらを改善することにより業務効率向上ならびに顧客サービス向上を図ることができる。しかしながら、システムの大幅な変更はコスト増となってしまうことから好ましくない。
【０００６】
したがって、本発明は、コスト増を抑制しつつ業務効率向上ならびに顧客サービス向上を図ることができる現金処理システムの提供を目的とする。
【課題を解決するための手段】
【０００７】
上記目的を達成するために、請求項１に係る発明は、窓口操作員により操作される窓口操作機と、入金紙幣を金種別に収納するとともに当該収納した収納紙幣を払い出す紙幣収納部を有する現金処理機と、を備えた現金処理システムであって、前記窓口操作機の入力手段の周辺での指先の動きを検出するモーションセンサと、該モーションセンサの検出結果から取引を予測して当該取引に対応する準備動作を前記紙幣収納部に実行させる制御手段とを有することを特徴とする。
【０００８】
請求項２に係る発明は、請求項１に係る発明において、前記制御手段は、前記モーションセンサの検出結果から入金取引有りを予測した場合に、入金紙幣を取り込む入金動作の準備動作を前記紙幣収納部に実行させることを特徴とする。
【０００９】
請求項３に係る発明は、請求項２に係る発明において、前記入金動作の準備動作は、入金紙幣を受け取る受取部材を上部の紙幣取込部に向けて上昇させる動作を含むことを特徴とする。
【００１０】
請求項４に係る発明は、請求項１から３のいずれか一項に係る発明において、前記制御手段は、前記モーションセンサの検出結果から払い出し取引有りを予測した場合に、収納紙幣を払い出す払い出し動作の準備動作を前記紙幣収納部に実行させることを特徴とする。
【００１１】
請求項５に係る発明は、請求項４に係る発明において、前記払い出し動作の準備動作は、収納紙幣を支持する支持部材を上部の紙幣払出部に向けて上昇させる動作を含むことを特徴とする。
【００１２】
請求項６に係る発明は、請求項１から５のいずれか一項に係る発明において、前記現金処理機は、所定時間未使用状態が続くと省電力状態となり、前記制御手段は、前記モーションセンサの検出結果から操作の開始有りを予測すると前記現金処理機の省電力状態を解除することを特徴とする。
【００１３】
請求項７に係る発明は、請求項１から６のいずれか一項に係る発明において、前記制御手段は前記現金処理機に設けられており、前記モーションセンサが前記現金処理機に直接接続されていることを特徴とする。
【発明の効果】
【００１４】
請求項１に係る発明によれば、窓口操作機の入力手段の周辺での指先の動きを検出するモーションセンサの検出結果から、制御手段が取引を予測してこの取引に対応する準備動作を紙幣収納部に実行させる。これにより、所定のキー操作入力が行われる前に、予測した取引に対応する準備動作を紙幣収納部に開始させることができるため、取引の時間を短縮することができる。したがって、業務効率向上ならびに顧客サービス向上を図ることができる。加えて、窓口操作機の入力手段の周辺での指先の動きをモーションセンサによって間接的に検出して取引を予測することから窓口操作機側の変更を要することなく、現金処理機側の変更のみで対応可能となる。したがって、コスト増を抑制することができる。
【００１５】
請求項２に係る発明によれば、モーションセンサの検出結果から入金取引有りを予測した場合に、制御手段が、入金紙幣を取り込む入金動作の準備動作を紙幣収納部に実行させる。これにより、入金取引有りを判断できる所定のキー操作入力を待たずに、入金紙幣を取り込む入金動作の準備動作を紙幣収納部に開始させることができる。したがって、入金取引の処理時間を短縮することができ、入金取引を行う際の業務効率向上ならびに顧客サービス向上を図ることができる。
【００１６】
請求項３に係る発明によれば、モーションセンサの検出結果から入金取引有りを予測した場合に、制御手段が、紙幣収納部において入金紙幣を受け取る受取部材を上部の紙幣取込部に向けて上昇させる。したがって、入金取引の処理時間を確実に短縮することができ、入金取引を行う際の業務効率向上ならびに顧客サービス向上を確実に図ることができる。
【００１７】
請求項４に係る発明によれば、モーションセンサの検出結果から払い出し取引有りを予測した場合に、制御手段が、収納紙幣を払い出す払い出し動作の準備動作を紙幣収納部に実行させる。これにより、払い出し取引有りを判断できる所定のキー操作入力を待たずに、収納紙幣を払い出す払い出し動作の準備動作を紙幣収納部に開始させることができる。したがって、払い出し取引の処理時間を短縮することができ、払い出し取引を行う際の業務効率向上ならびに顧客サービス向上を図ることができる。
【００１８】
請求項５に係る発明によれば、モーションセンサの検出結果から払い出し取引有りを予測した場合に、制御手段が、紙幣収納部において収納紙幣を支持する支持部材を上部の紙幣払出部に向けて上昇させる。したがって、払い出し取引の処理時間を確実に短縮することができ、払い出し取引を行う際の業務効率向上ならびに顧客サービス向上を確実に図ることができる。
【００１９】
請求項６に係る発明によれば、制御手段が、モーションセンサの検出結果から操作の開始有りを予測すると現金処理機の省電力状態を解除するため、所定のキー操作入力を待たずに、省電力状態にある現金処理機を動作可能な状態とすることができる。したがって、この点からも業務効率向上ならびに顧客サービス向上を図ることができる。
【００２０】
請求項７に係る発明によれば、制御手段を有する現金処理機にモーションセンサが直接接続されていることから、窓口操作機を介することなく、モーションセンサの検出結果から制御手段が取引を予測してこの取引に対応する準備動作を紙幣収納部に実行させることができる。したがって、コスト増を確実に抑制することができる。
【図面の簡単な説明】
【００２１】
【図１】本発明の一実施形態に係る現金処理システムを示す斜視図である。
【図２】本発明の一実施形態に係る現金処理システム全体の制御系ブロック図である。
【図３】本発明の一実施形態に係る現金処理システムの紙幣処理装置部を概略的に示すブロック図である。
【図４】本発明の一実施形態に係る現金処理システムの紙幣収納部を示す正面図であって、待機状態を示すものである。
【図５】本発明の一実施形態に係る現金処理システムの紙幣収納部を示す正面図であって、（ａ）は入金動作の準備動作を示すものであり、（ｂ）は入金動作の本動作の第１段階を示すものである。
【図６】本発明の一実施形態に係る現金処理システムの紙幣収納部を示す正面図であって、（ａ）は入金動作の本動作の第２段階を示すものであり、（ｂ）は入金動作の本動作の第３段階を示すものである。
【図７】本発明の一実施形態に係る現金処理システムの紙幣収納部を示す正面図であって、（ａ）は入金動作の本動作の第４段階および払い出し動作の本動作の第２段階を示すものであり、（ｂ）は入金動作の本動作の第５段階および払い出し動作の本動作の第３段階を示すものである。
【図８】本発明の一実施形態に係る現金処理システムの紙幣収納部を示す正面図であって、（ａ）は入金動作の本動作の第６段階および払い出し動作の本動作の第４段階を示すものであり、（ｂ）は入金動作の本動作の第７段階および払い出し動作の本動作の第５段階を示すものである。
【図９】本発明の一実施形態に係る現金処理システムの紙幣収納部を示す正面図であって、返却動作の準備動作を示すものである。
【図１０】本発明の一実施形態に係る現金処理システムの紙幣収納部を示す正面図であって、（ａ）は払い出し動作の準備動作を示すものであり、（ｂ）は払い出し動作の本動作の第１段階を示すものである。
【発明を実施するための形態】
【００２２】
本発明の一実施形態に係る現金処理システムを図面を参照して以下に説明する。本実施形態の現金処理システムは、金融機関の窓口に設置されて窓口操作員（テラー）によって使用される窓口システムである。
【００２３】
本実施形態の現金処理システム１０は、図１に示すように、窓口操作機１１と、窓口操作機１１にネットワークを介して接続される現金処理機１２と、現金処理機１２に直接接続されるモーションセンサ１３とを備えている。
【００２４】
窓口操作機１１は、窓口操作員により操作されるパーソナルコンピュータからなるもので、窓口操作員により操作入力が行われるキーボード等からなる端末操作部１５（入力手段）と、窓口操作員に対し表示を行う液晶モニタ等からなる端末表示部１６と、端末操作部１５からの信号に基づいて、端末表示部１６の表示画面を制御し入金指示信号および出金指示信号等を現金処理機１２に送信する端末本体１７とを有している。端末本体１７は、各部を制御する図２に示す端末制御部１８と端末記憶部１９とを備えている。
【００２５】
図１に示すように、本実施形態の現金処理機１２には、窓口操作員により操作入力が行われる処理機操作部２５と、窓口操作員に対し表示を行う液晶モニタ等からなる処理機表示部２６とが上面に設けられている。これら処理機操作部２５および処理機表示部２６は、現金処理機１２の各部を制御する図２に示す処理機制御部２７（制御手段）に接続されており、処理機制御部２７には処理機記憶部２８が接続されている。
【００２６】
図１に示すように、現金処理機１２の上面には、機外から入金硬貨が投入される硬貨入金口３０が設けられている。硬貨入金口３０は、待機状態である閉状態から開状態になることで、機外から一括投入される硬貨を受け入れることになり、また、受け入れた硬貨を、閉状態となってから一枚ずつ分離して機内へ繰り出す。
【００２７】
現金処理機１２には、高さ方向の中央よりも上部側に機体の前面から後方に凹む凹部３２が設けられており、この凹部３２には受皿３３が挿入可能となっている。凹部３２の天井面には、凹部３２内に挿入された受皿３３内に機内から硬貨を放出する図示略の硬貨放出口が設けられている。また、現金処理機１２には、凹部３２の側方に、硬貨が機外に取り出し可能に繰り出される硬貨入金リジェクト口３６が設けられている。
【００２８】
現金処理機１２は、その上面と凹部３２との間の部分が、硬貨入金口３０、図示略の硬貨放出口および硬貨入金リジェクト口３６を含む硬貨処理装置部４０となっている。この硬貨処理装置部４０は、入金取引時には、硬貨入金口３０に投入された入金硬貨を硬貨入金口３０から繰り出し識別しつつ計数して、識別結果に基づいて受け入れ可能と識別された入金硬貨を金種別に一時貯留する一方、受け入れ不可と識別された硬貨を上記した硬貨入金リジェクト口３６に排出する。
【００２９】
硬貨処理装置部４０は、入金硬貨を一時貯留した状態で、キャンセル操作が入力されると、一時貯留した入金硬貨を上記した図示略の硬貨放出口から受皿３３に放出させる一方、承認操作が入力されると、一時貯留した入金硬貨を金種別に収納する。また、硬貨処理装置部４０は、このように金種別に収納した収納硬貨を一枚ずつ分離して計数しつつ上記した図示略の硬貨放出口から受皿３３に放出させる。
【００３０】
現金処理機１２は、凹部３２よりも下側が機体前方に突出している。この突出部分の上面には、機体後側に、機外から入金紙幣が投入される紙幣入金口５０が設けられており、紙幣入金口５０よりも機体前側に、紙幣が機外に取り出し可能に繰り出される紙幣出金口５１が設けられている。
【００３１】
紙幣入金口５０には、これを開閉する入金口シャッタ５２と入金口シャッタ５２を開閉作動させる図３に示す入金口シャッタ駆動部５３とが設けられている。図１に示すように、入金口シャッタ５２は閉状態を待機状態としており、この閉状態から開状態になることで、紙幣入金口５０が機外から集積状態で一括投入される紙幣を受け入れることになる。また、紙幣入金口５０は、受け入れた紙幣を、入金口シャッタ５２が閉状態になってから一枚ずつ分離して機内へ繰り出す。
【００３２】
紙幣出金口５１には、これを開閉する出金口シャッタ５５と出金口シャッタ５５を開閉作動させる図３に示す出金口シャッタ駆動部５６とが設けられている。図１に示すように、出金口シャッタ５５は閉状態を待機状態としており、この閉状態にあるとき、一枚ずつ機内で搬送されてきた紙幣を集積させることになる。また、紙幣出金口５１は、出金口シャッタ５５が開状態になると集積状態の紙幣が機外に取り出し可能となる。
【００３３】
現金処理機１２は、凹部３２よりも下側の部分が、紙幣入金口５０および紙幣出金口５１を含む紙幣処理装置部６０となっている。
【００３４】
図３に示すように、紙幣処理装置部６０は、上記した紙幣入金口５０と、紙幣入金口５０から繰り出された紙幣を識別しつつ計数する紙幣入金識別部６１と、紙幣入金識別部６１の識別結果に基づいて紙幣を複数の方向に振り分ける紙幣入金振分部６２と、紙幣入金識別部６１で受け入れ可能と識別されて紙幣入金振分部６２で金種別に振り分けられた紙幣を取り込む金種別の紙幣収納部６３，６３，…とを有している。
【００３５】
紙幣収納部６３，６３，…は、それぞれ、取り込んだ対応する金種の入金紙幣を一時貯留させるとともに、一時貯留させた入金紙幣をキャンセル操作が入力されると払い出す一方、承認操作が入力されると収納する。このとき、紙幣収納部６３，６３，…から払い出された入金紙幣は、紙幣出金口５１に搬送される。また、紙幣収納部６３，６３，…は、それぞれ、収納している収納紙幣を計数しつつ払い出すようになっている。
【００３６】
紙幣処理装置部６０は、紙幣収納部６３，６３，…から払い出された収納紙幣を、計数しつつ重送や斜行等の異常搬送を検出する紙幣出金識別部６５と、紙幣出金識別部６５で識別後の紙幣をその識別結果に基づいて振り分ける紙幣出金振分部６６とを有している。紙幣出金振分部６６は、紙幣を、紙幣出金口５１と紙幣機内リジェクト部６７とに振り分ける。
【００３７】
紙幣収納部６３，６３，…は、上記したように、紙幣入金識別部６１の識別結果に基づいて紙幣入金振分部６２で金種別に振り分けられた入金紙幣を金種別に収納するとともに当該収納した収納紙幣を払い出す還流式の紙幣収納部である。つまり、紙幣収納部６３，６３，…は、それぞれが、対応する一金種の紙幣を払い出し可能に収納する。
【００３８】
次に、図４を主に参照して、紙幣収納部６３を説明する。紙幣収納部６３は、受け入れた紙幣Ｓを上下方向に集積させた状態で収容する受入空間７０を内側に形成する角筒状の周囲壁部７１と、周囲壁部７１の上部に配置されて受入空間７０とそれよりも上側の空間とを区画する天井部７２とを有している。
【００３９】
また、紙幣収納部６３は、上部に、紙幣入金振分部６２（図３参照）から搬送されてきた紙幣Ｓを受入空間７０に取り込むとともに、受入空間７０に収納している紙幣Ｓを紙幣出金識別部６５（図３参照）に向けて払い出す取込操出部７５（紙幣取込部，紙幣払出部）を有している。この取込操出部７５は、ローラ駆動部７６（図３参照）と、ローラ駆動部７６の駆動で正逆回転するメインローラ７７と、メインローラ７７の下側に配置されてメインローラ７７が下部を受入空間７０に向けて移動させるように正回転するときメインローラ７７と連れ回りする一方、メインローラ７７が逆回転するとき停止状態に維持されるサブローラ７８と、天井部７２から下方に突出してメインローラ７７が逆回転するときメインローラ７７と同方向に回転する蹴出ローラ７９と、受入空間７０に取り込む紙幣Ｓを案内する集積ガイド８０とを有している。
【００４０】
取込操出部７５は、紙幣入金振分部６２（図３参照）から搬送されてきた紙幣Ｓを受入空間７０に取り込む際には、メインローラ７７が正回転することになり、メインローラ７７とサブローラ７８とで紙幣Ｓを挟んで受入空間７０に取り込む。集積ガイド８０は、メインローラ７７側に設けられた支持軸８１で揺動可能に支持されており、図示略のストッパに当接してメインローラ７７およびサブローラ７８による紙幣Ｓの繰り出し方向に対して前下がりの状態となる。これにより、メインローラ７７とサブローラ７８とで受入空間７０に取り込まれる紙幣Ｓは前下がりに傾斜して受入空間７０内に放出され、周囲壁部７１に当接して下方に移動する。集積ガイド８０は、下方から押し上げられると、支持軸８１を中心に揺動して蹴出ローラ７９よりも上側に移動する。
【００４１】
また、取込操出部７５は、受入空間７０内に上下に集積された紙幣Ｓを紙幣出金識別部６５（図３参照）に向けて繰り出すときには、メインローラ７７が逆回転することになり、これと同期回転する蹴出ローラ７９が受入空間７０の最上位置の紙幣Ｓをメインローラ７７に向けて蹴り出し、停止するサブローラ７８で最上位置の紙幣Ｓよりも下側の紙幣Ｓを停止させながらメインローラ７７が周方向に部分的に配置された図示略の高摩擦部で最上位置の紙幣Ｓを一枚ずつ間隔をあけて繰り出す。
【００４２】
また、紙幣収納部６３は、天井部７２を越えて昇降可能なプッシャ８５と、このプッシャ８５を昇降させるプッシャ駆動部８６（図３参照）とを有している。プッシャ８５は、天井部７２と高さが合う位置が昇降の上限位置（図４に示す位置）となっており、この上限位置が待機位置となっている。
【００４３】
紙幣収納部６３は、天井部７２よりも下側にあって受入空間７０に対し進退可能な一対のフラップ９１，９１と、一対のフラップ９１，９１を開閉させるフラップ駆動部９２（図３参照）とを有している。一対のフラップ９１，９１は、それぞれ支持軸９３，９３を中心に回転することで、受入空間７０内に押さえ部９４，９４を進入させる閉状態（図４に示す状態）と、受入空間７０から押さえ部９４，９４を退避させる開状態（図６に示す状態）とに切り替わる。一対のフラップ９１，９１は、閉状態が待機状態となっている。ここで、一対のフラップ９１，９１は、閉状態にあるとき押さえ部９４，９４を水平に配置しており、上記したプッシャ８５は、このように閉状態にある一対のフラップ９１，９１の押さえ部９４，９４よりも下側位置が昇降の下限位置となっている。プッシャ８５は、閉状態にある一対のフラップ９１，９１を越えて昇降可能となっている。
【００４４】
また、紙幣収納部６３は、閉状態にある一対のフラップ９１，９１の上方のこれらフラップ９１，９１の動作に干渉しない位置を下限位置（図４に示す位置）として受入空間７０内を昇降可能な収納部内シャッタ１０１（受取部材）と、収納部内シャッタ１０１を移動させる収納部内シャッタ駆動部１０２（図３参照）とを有している。収納部内シャッタ１０１は、蹴出ローラ７９に接触する位置を昇降の上限位置としている。収納部内シャッタ１０１は、受入空間７０内の下限位置から水平移動可能して受入空間７０外の退避位置（図６（ｂ）に示す位置）に退避可能となっている。この収納部内シャッタ１０１は、受入空間７０内の下限位置が待機位置となっている。また、上限位置と下限位置との間の上限位置に寄った位置が取り込んだ入金紙幣Ｓの受け取りを開始する取込開始位置（図５（ａ）に示す位置）となっている。
【００４５】
紙幣収納部６３は、受入空間７０内を昇降可能なリフト１０５（支持部材）と、リフト１０５を昇降させるリフト駆動部１０６（図３参照）とを有している。リフト１０５は、取込操出部７５の蹴出ローラ７９に接触する位置が昇降の上限位置となっており、閉状態にある一対のフラップ９１，９１の押さえ部９４，９４よりも下側位置が昇降の下限位置（図７に示す位置）となっている。リフト１０５は、閉状態にある一対のフラップ９１，９１の押さえ部９４，９４に干渉するため、押さえ部９４，９４を越えて昇降する場合は、一対のフラップ９１，９１を開状態にしてから昇降する。同様に、リフト１０５は、受入空間７０内にある収納部内シャッタ１０１に干渉するため、収納部内シャッタ１０１を越えて昇降する場合は、収納部内シャッタ１０１を退避位置に退避させてから昇降する。
【００４６】
紙幣収納部６３は、図４に示すように、プッシャ８５が上限位置にあり、一対のフラップ９１，９１が閉状態にあり、収納部内シャッタ１０１が受入空間７０内にあって下限位置にあり、リフト１０５が、閉状態にある一対のフラップ９１，９１の押さえ部９４，９４とで収納紙幣Ｓを挟持している状態が待機状態となっている。
【００４７】
図１に示すように、モーションセンサ１３は、窓口操作機１１の端末操作部１５の周辺である端末操作部１５上の所定の検出可能空間Ａ（図１にそのイメージを破線で示す）内での指先Ｆの３次元空間座標を検出し、その結果、窓口操作員の指先Ｆの動きを検出する。現金処理機１２の図２に示す処理機制御部２７は、このモーションセンサ１３の検出結果が窓口操作機１１を介さず入力されることになり、この検出結果から、検出時点よりも後に実行されるであろう取引を予測して当該取引に対応する準備動作を紙幣収納部６３，６３，…に実行させる。以下、一つの紙幣収納部６３を例にとって各取引での紙幣処理装置部６０についての制御内容について説明する。
【００４８】
「入金取引」
入金取引に際して、窓口操作員は、窓口操作機１１に、伝票に記載された取引内容の入力を行うことになり、その際に窓口操作機１１の端末操作部１５に入力操作を行う。この取引内容としては、例えば、入金する口座番号、入金金額等である。そして、入金取引の取引内容の入力の最終的な確定操作として端末操作部１５の図２に示す送信キー１５ａを押下する。すると、端末制御部１８が、端末記憶部１９にこの取引内容を記憶するとともに、入金取引の取引内容の入力が完了した旨と、その取引内容とを店舗内サーバおよび現金処理機１２の処理機制御部２７へ送信する。処理機制御部２７は、入金取引の取引内容の入力が完了した旨と、その取引内容とを受信すると、現金処理機１２において当該入金取引に関連する入金処理が行われていなければ入金処理を行い、紙幣Ｓの入金がある場合には紙幣収納部６３に入金紙幣Ｓを取り込む入金動作を行う。
【００４９】
他方で、窓口操作機１１への取引内容の入力開始後、完了前に、取引内容の入力（言い換えれば、窓口操作機１１の端末操作部１５による入力操作の受付）と並行して現金処理機１２により入金処理を行い、紙幣Ｓの入金がある場合には紙幣収納部６３に入金紙幣Ｓを取り込む入金動作を行うこともできる。
【００５０】
あるいは、窓口操作機１１への取引内容の入力開始前に、現金処理機１２により入金処理を行い、紙幣Ｓの入金がある場合には紙幣収納部６３に入金紙幣Ｓを取り込む入金動作を行うとともに、これと並行して、あるいは入金処理後に、取引内容の入力（言い換えれば、窓口操作機１１の端末操作部１５による入力操作の受付）を行うこともできる。
【００５１】
モーションセンサ１３は、常時、つまり窓口操作機１１への入金取引の取引内容の入力の前から、窓口操作機１１の端末操作部１５の周辺である端末操作部１５上の所定の検出可能空間Ａ内での窓口操作員の指先Ｆの動きを検出している。処理機制御部２７は、モーションセンサ１３による指先Ｆの動きの検出結果から、入金取引有りを予測した場合に、入金紙幣Ｓを取り込む入金動作の準備動作を紙幣収納部６３に実行させる。
【００５２】
「取引内容の入力開始後、完了前または完了後に入金処理を開始させる場合」
窓口操作機１１への取引内容の入力開始後、完了前に、取引内容の入力と並行して現金処理機１２により入金処理を開始させる場合と、取引内容の入力完了後に入金処理を開始させる場合とについては、まず、窓口操作機１１にて取引内容の入力が開始される。窓口操作機１１への取引内容の入力開始時点から、例えば、端末操作部１５のうち入金取引特有で使用される入金取引特有キー１５ｄが、指先Ｆにより押圧されたことをモーションセンサ１３により検出すると、処理機制御部２７は、入金取引有りと予測し、入金紙幣Ｓを取り込む入金動作の準備動作として、収納部内シャッタ駆動部１０２を駆動して、図５（ａ）に示すように、収納部内シャッタ１０１を取込開始位置まで上昇させる動作を紙幣収納部６３に実行させる。よって、入金動作の準備動作は、入金紙幣Ｓを受け取る収納部内シャッタ１０１をそれよりも上部位置にある取込操出部７５に向けて上昇させる動作を含んでいる。その際に、窓口操作機１１への取引内容の入力（言い換えれば、窓口操作機１１の端末操作部１５による入力操作の受付）が行われていても、これと並行して入金動作の準備動作を紙幣収納部６３に実行させる。ここで、入金取引特有キー１５ｄは複数あり、その中の一つあるいは適宜の複数が、指先Ｆにより押圧されたことをモーションセンサ１３により検出すると、処理機制御部２７は、入金取引有りと予測する。
【００５３】
窓口操作機１１への取引内容の入力開始後に、現金処理機１２により入金処理を開始させる場合、窓口操作員は、取引内容の入力中に、入力を中断しまたは入力を行いながら、あるいは、取引内容の入力後に、例えば、入金動作を開始させる際に端末操作部１５にて押圧される計数開始キー１５ｅまたは占有キー１５ｆ（図２参照）、あるいは現金処理機１２の処理機操作部２５に設けられた入金キー２５ａを押下する。すると、処理機制御部２７は、紙幣処理装置部６０については入金口シャッタ駆動部５３で入金口シャッタ５２を開く。入金口シャッタ５２が開かれると、窓口操作員は、紙幣入金口５０内に紙幣Ｓを投入し、現金処理機１２の処理機操作部２５に設けられたスタートキー２５ｂ（図２参照）を押下する。すると、処理機制御部２７は、入金口シャッタ駆動部５３で入金口シャッタ５２を閉じるとともに、収納部内シャッタ１０１が、図５（ａ）に示すように取込開始位置まで上昇しているか否かを確認する。ここで、占有キー１５ｆは、これが設けられた窓口操作機１１に現金処理機１２を占有する状態に切り替える際に押圧操作されるものである。
【００５４】
収納部内シャッタ１０１が、上記した入金動作の準備動作により取込開始位置まで上昇していれば、処理機制御部２７は、即座に紙幣収納部６３に以下の入金動作の本動作を実行させる。また、収納部内シャッタ１０１が取込開始位置まで上昇していないものの、上記した入金動作の準備動作により上昇中である場合に、処理機制御部２７は、収納部内シャッタ１０１が取込開始位置まで上昇するのを待機し、取込開始位置まで上昇すると即座に紙幣収納部６３に以下の入金動作の本動作を実行させる。また、収納部内シャッタ１０１が待機位置で停止している場合に、処理機制御部２７は、上記の入金動作の準備動作を行わせて収納部内シャッタ１０１が取込開始位置まで上昇するのを待機し、取込開始位置まで上昇すると即座に紙幣収納部６３に以下の入金動作の本動作を実行させる。
【００５５】
紙幣収納部６３の入金動作の本動作に合わせて、処理機制御部２７は、紙幣入金口５０から入金紙幣Ｓの繰り出しを開始させる。紙幣入金口５０から繰り出された入金紙幣Ｓは、紙幣入金識別部６１で識別されるとともに計数され、受け入れ可能と識別された入金紙幣Ｓが、紙幣収納部６３に搬送される。紙幣収納部６３の入金動作の本動作では、処理機制御部２７が、ローラ駆動部７６でメインローラ７７を正回転させる。すると、紙幣入金口５０から繰り出され紙幣入金識別部６１で受け入れ可能と識別された入金紙幣Ｓが、メインローラ７７とサブローラ７８とで受入空間７０に取り込まれ、図５（ｂ）に示すように、収納部内シャッタ１０１の上に集積される。処理機制御部２７は、受入空間７０に取り込んだ入金紙幣Ｓの枚数に応じて収納部内シャッタ駆動部１０２を駆動して収納部内シャッタ１０１を下降させる。
【００５６】
紙幣処理装置部６０への入金紙幣Ｓの取り込みが完了すると、処理機制御部２７は、紙幣入金識別部６１の識別結果を端末制御部１８に送信する。すると、端末制御部１８は、取引内容の入力が完了しているか否かと硬貨処理装置部４０の同様の識別結果を受信しているか否かとを確認する。取引内容の入力が完了しており、硬貨処理装置部４０の識別結果を受信していれば、端末制御部１８が、即座に、紙幣処理装置部６０の紙幣入金識別部６１の識別結果と、硬貨処理装置部４０の同様の識別結果とを端末表示部１６に表示させる。取引内容の入力が完了していなければ完了するまで待機する。また、硬貨処理装置部４０の識別結果を受信していなければ受信するまで待機する。取引内容の入力の完了と硬貨処理装置部４０の識別結果の受信完了とを確認すると、端末制御部１８は、紙幣処理装置部６０の紙幣入金識別部６１の識別結果と、硬貨処理装置部４０の識別結果とを端末表示部１６に表示させる。
【００５７】
この間も、モーションセンサ１３は、窓口操作機１１の端末操作部１５の周辺である端末操作部１５上の所定の検出可能空間Ａ内での窓口操作員の指先Ｆの動きを検出している。処理機制御部２７は、モーションセンサ１３による指先Ｆの動きの検出結果から、入金承認有りを予測した場合に、入金紙幣Ｓを収納する収納動作の準備動作を紙幣収納部６３に実行させる。
【００５８】
例えば、端末操作部１５の承認キー１５ｃ（図２参照）の方向に指先Ｆが向かい指先Ｆが承認キー１５ｃに所定の距離まで近づいたと判断すると、処理機制御部２７は、入金承認有りと予測し、紙幣収納部６３に入金紙幣Ｓを収納させる収納動作の準備動作として、収納部内シャッタ駆動部１０２を駆動して、図６（ａ）に示すように、収納部内シャッタ１０１を受入空間７０内の下限位置まで下降させるとともに、フラップ駆動部９２を駆動して一対のフラップ９１，９１を開状態とする。ここで、モーションセンサ１３が検出する指先Ｆの動きからは入金承認有りを予測できない状態であっても、後述のように窓口操作機１１の端末操作部１５に設けられた承認キー１５ｃが押下されると、処理機制御部２７は、収納動作の準備動作を紙幣収納部６３に実行させる。
【００５９】
他方、処理機制御部２７は、モーションセンサ１３による指先Ｆの動きの検出結果から、入金キャンセル有りを予測した場合に、入金紙幣Ｓを繰り出す入金キャンセル動作の準備動作を紙幣収納部６３に実行させる。
【００６０】
例えば、端末操作部１５のキャンセルキー１５ｂ（図２参照）の方向に指先Ｆが向かい指先Ｆがキャンセルキー１５ｂに所定の距離まで近づいたと判断すると、処理機制御部２７は、入金キャンセル有りと予測し、紙幣収納部６３に入金紙幣Ｓを繰り出させるキャンセル動作の準備動作として、収納部内シャッタ駆動部１０２を駆動して、図９に示すように、収納部内シャッタ１０１を、その上に集積されている入金紙幣Ｓの最上位置のものを蹴出ローラ７９に接触させる繰出位置（紙幣量により異なる）まで上昇させる。ここで、モーションセンサ１３が検出する指先Ｆの動きからは入金キャンセル有りを予測できていない状態であっても、後述のように窓口操作機１１の端末操作部１５に設けられたキャンセルキー１５ｂが押下されると、処理機制御部２７は、キャンセル動作の準備動作を紙幣収納部６３に実行させる。
【００６１】
上記の識別結果の表示を見て、窓口操作員が端末操作部１５の承認キー１５ｃを押下すると、端末制御部１８は、その旨の信号を処理機制御部２７に送信する。すると、処理機制御部２７は、フラップ駆動部９２で、図６（ａ）に示すように、一対のフラップ９１，９１が開状態にあり且つ収納部内シャッタ１０１が受入空間７０内の下限位置にあるか、否かを判断する。上記した収納動作の準備動作によって収納部内シャッタ１０１が受入空間７０内の下限位置まで下降していれば、処理機制御部２７は、即座に収納部内シャッタ駆動部１０２で、図６（ｂ）に示すように収納部内シャッタ１０１を退避位置まで水平移動させるとともにプッシャ駆動部８６でプッシャ８５を下降させる。また、収納部内シャッタ１０１が受入空間７０内の下限位置まで下降していないものの上記した収納動作の準備動作によって下降中である場合に、処理機制御部２７は、収納部内シャッタ１０１が下限位置に下降するまで待機し、収納部内シャッタ１０１が下限位置まで下降するとそのままこれを退避位置まで水平移動させるとともにプッシャ駆動部８６でプッシャ８５を下降させる。さらに、収納部内シャッタ１０１が下限位置になく且つ下降中になければ、処理機制御部２７は、フラップ駆動部９２を駆動してフラップ９１，９１を開状態にするとともに、収納部内シャッタ駆動部１０２を駆動して収納部内シャッタ１０１を下限位置まで下降させた後、退避位置まで水平移動させる。
【００６２】
図６（ｂ）に示すように収納部内シャッタ１０１が退避位置まで水平移動すると、収納部内シャッタ１０１上の紙幣Ｓは、周囲壁部７１で受入空間７０内にとどまり、リフト１０５上のすでに収納されている紙幣Ｓの上に搭載される。処理機制御部２７は、収納部内シャッタ１０１の退避位置への水平移動後、プッシャ駆動部８６およびリフト駆動部１０６で、図７（ａ）に示すようにプッシャ８５およびリフト１０５を、紙幣Ｓを挟持しながら下降させてリフト１０５を下限位置まで移動させる。
【００６３】
その後、処理機制御部２７は、フラップ駆動部９２で、図７（ｂ）に示すようにフラップ９１，９１を閉状態にした後、プッシャ駆動部８６およびリフト駆動部１０６で、図８（ａ）に示すようにプッシャ８５およびリフト１０５を、紙幣Ｓを挟持しながら上昇させて、一対のフラップ９１，９１の押さえ部９４，９４とリフト１０５とで収納紙幣Ｓを挟持させる。この挟持後もプッシャ８５についてはそのまま上限位置まで上昇させることになり、処理機制御部２７は、プッシャ８５が収納部内シャッタ１０１よりも上側に位置すると、収納部内シャッタ駆動部１０２で図８（ｂ）に示すように収納部内シャッタ１０１を水平移動させて受入空間７０内の下限位置に戻して、入金取引を終了する。入金取引の終了までに要する時間が、上記のように入金動作の準備動作の開始、収納動作の準備動作の開始を早めることによって短縮可能となる。
【００６４】
他方、上記の識別結果の表示を見て、窓口操作員が端末操作部１５のキャンセルキー１５ｂ（図２参照）を押下すると、端末制御部１８は、その旨の信号を処理機制御部２７に送信する。すると、処理機制御部２７は、図９に示すように収納部内シャッタ１０１が入金紙幣Ｓを蹴出ローラ７９に接触させる繰出位置にあるか否かを判断する。処理機制御部２７は、収納部内シャッタ１０１が、上記したキャンセル動作の準備動作によって繰出位置まで上昇していれば、即座にローラ駆動部７６でメインローラ７７を逆回転させる。また、処理機制御部２７は、収納部内シャッタ１０１が繰出位置まで上昇していないものの上記したキャンセル動作の準備動作によって上昇中である場合には繰出位置に上昇するまで待機し、繰出位置まで上昇すると即座にローラ駆動部７６でメインローラ７７を逆回転させる。さらに、処理機制御部２７は、収納部内シャッタ１０１が繰出位置になく且つ上昇中になければ、収納部内シャッタ駆動部１０２を駆動して収納部内シャッタ１０１を上昇させ、収納部内シャッタ１０１が繰出位置まで上昇すると即座にローラ駆動部７６でメインローラ７７を逆回転させる。
【００６５】
ローラ駆動部７６でメインローラ７７を逆回転させると、蹴出ローラ７９が入金紙幣Ｓを蹴り出し、メインローラ７７およびサブローラ７８が入金紙幣Ｓを最上位置のものから一枚ずつ分離して紙幣出金識別部６５に向け払い出す。払い出された入金紙幣Ｓは、紙幣出金識別部６５を通過後に紙幣出金振分部６６ですべて紙幣出金口５１に搬送される。
【００６６】
収納部内シャッタ１０１上の紙幣Ｓがすべて紙幣収納部６３から繰り出され、すべての入金紙幣Ｓが紙幣出金口５１に搬送されると、処理機制御部２７は出金口シャッタ駆動部５６を駆動して紙幣出金口５１の出金口シャッタ５５を開く。これにより、紙幣出金口５１から入金紙幣Ｓが取り出されて返却される。
【００６７】
上記のように収納部内シャッタ１０１上の紙幣Ｓがすべて紙幣収納部６３から繰り出されると、処理機制御部２７は、収納部内シャッタ駆動部１０２で収納部内シャッタ１０１を図４に示すように受入空間７０内の下限位置に戻して、入金取引を終了する。この入金取引の終了までに要する時間が、上記した入金動作の準備動作の開始およびキャンセル動作の準備動作の開始を早めることによって短縮可能となる。
【００６８】
「取引内容の入力開始前に入金処理を開始させる場合」
窓口操作機１１への取引内容の入力開始前に、現金処理機１２により入金処理を開始させる場合であっても、モーションセンサ１３は、窓口操作機１１の端末操作部１５の周辺での窓口操作員の指先Ｆの動きを検出している。モーションセンサ１３による指先Ｆの動きの検出結果から、処理機制御部２７は、入金取引有りを予測した場合に、入金紙幣Ｓを取り込む入金動作の準備動作を紙幣収納部６３に実行させる。
【００６９】
例えば、入金動作を開始させる際に、端末操作部１５にて押圧される計数開始キー１５ｅまたは占有キー１５ｆ（図２参照）の方向に指先Ｆが向かい指先Ｆが計数開始キー１５ｅまたは占有キー１５ｆに所定の距離まで近づいたと判断すると、処理機制御部２７は、入金取引有りと予測し、紙幣収納部６３に入金紙幣Ｓを取り込む入金動作の準備動作として、収納部内シャッタ駆動部１０２を駆動して、図５（ａ）に示すように収納部内シャッタ１０１を取込開始位置まで上昇させる動作を実行させる。ここで、入金動作の準備動作開始後に、窓口操作機１１への取引内容の入力（言い換えれば、窓口操作機１１の端末操作部１５による入力操作の受付）が行われても、処理機制御部２７は、これと並行して入金動作の準備動作を紙幣収納部６３に続けさせる。この場合も、モーションセンサ１３が検出する指先Ｆの動きからは入金取引有りを予測できていない状態で、後述のように現金処理機１２の処理機操作部２５に設けられた入金キー２５ａが押下されると、処理機制御部２７は、入金動作の準備動作を紙幣収納部６３に実行させる。
【００７０】
窓口操作機１１への取引内容の入力開始前に、現金処理機１２により入金処理を開始させる場合、窓口操作員は、端末操作部１５の計数開始キー１５ｅまたは占有キー１５ｆ、あるいは現金処理機１２の処理機操作部２５に設けられた入金キー２５ａを押下する。すると、処理機制御部２７は、入金口シャッタ駆動部５３で入金口シャッタ５２を開く。入金口シャッタ５２が開かれると、窓口操作員は、紙幣入金口５０内に紙幣Ｓを投入し、現金処理機１２の処理機操作部２５に設けられたスタートキー２５ｂを押下する。すると、処理機制御部２７は、入金口シャッタ駆動部５３で入金口シャッタ５２を閉じるとともに、収納部内シャッタ１０１が、図５（ａ）に示すように取込開始位置まで上昇しているか否かを確認する。
【００７１】
収納部内シャッタ１０１が、入金動作の準備動作によって取込開始位置まで上昇していれば、処理機制御部２７は、即座に紙幣収納部６３に入金動作の本動作を実行させる。また、収納部内シャッタ１０１が取込開始位置まで上昇していないものの、入金動作の準備動作によって上昇中である場合に、処理機制御部２７は、収納部内シャッタ１０１が取込開始位置まで上昇するのを待機し、取込開始位置まで上昇すると即座に紙幣収納部６３に入金動作の本動作を実行させる。また、収納部内シャッタ１０１が待機位置で停止している場合に、処理機操作部２５は、上記の入金動作の準備動作を行わせて収納部内シャッタ１０１が取込開始位置まで上昇するのを待機し、取込開始位置まで上昇すると即座に紙幣収納部６３に入金動作の本動作を実行させる。なお、窓口操作員は、現金処理機１２により入金処理を行わせている最中に、窓口操作機１１へ取引内容を入力する。
【００７２】
紙幣収納部６３の入金動作の本動作に合わせて、処理機制御部２７は、紙幣入金口５０から入金紙幣Ｓの繰り出しを開始させる。紙幣入金口５０から繰り出された入金紙幣Ｓは、紙幣入金識別部６１で識別されるとともに計数され、受け入れ可能と識別された入金紙幣Ｓが、紙幣収納部６３に搬送される。紙幣収納部６３の入金動作の本動作では、処理機制御部２７が、ローラ駆動部７６でメインローラ７７を正回転させる。すると上記と同様に、入金紙幣Ｓがメインローラ７７とサブローラ７８とで受入空間７０に取り込まれ、図５（ｂ）に示すように収納部内シャッタ１０１の上に集積される。
【００７３】
紙幣処理装置部６０への入金紙幣Ｓの取り込みが完了すると、処理機制御部２７は、紙幣入金識別部６１の識別結果を端末制御部１８に送信する。すると、端末制御部１８は、取引内容の入力が完了しているか否かと硬貨処理装置部４０の同様の識別結果を受信しているか否かとを確認する。取引内容の入力が完了していなければ完了するまで待機する。また、硬貨処理装置部４０の識別結果を受信していなければ受信するまで待機する。
【００７４】
取引内容の入力の完了と硬貨処理装置部４０の識別結果の受信完了とを確認すると、端末制御部１８は、紙幣処理装置部６０の紙幣入金識別部６１の識別結果と、硬貨処理装置部４０の同様の識別結果とを端末表示部１６に表示させる。以後は、上述した「取引内容の入力開始後、完了前に入金処理を開始させる場合」と同様である。
【００７５】
つまり、取引内容の入力開始前に入金処理を開始させる場合も、識別結果の表示以前から行われているモーションセンサ１３による指先Ｆの動きの検出結果から、入金承認有りを予測した場合には、その時点で、図６（ａ）に示すように収納動作の準備動作を紙幣収納部６３に実行させることになり、入金キャンセル有りを予測した場合には、その時点で、図９に示すように入金キャンセル動作の準備動作を紙幣収納部６３に実行させる。
【００７６】
「払い出し取引」
払い出し取引に際して、窓口操作員は、窓口操作機１１に、伝票に記載された取引内容の入力を行うことになり、その際に窓口操作機１１の端末操作部１５に入力操作を行う。この取引内容としては、例えば、払い出しする口座番号、払い出し金額等である。そして、取引内容の入力の最終的な確定操作として端末操作部１５の送信キー１５ａを押下する。すると、端末制御部１８が、端末記憶部１９にこの取引内容を記憶するとともに、払い出し取引の取引内容の入力が完了した旨と、その取引内容とを、店舗内サーバおよび現金処理機１２の処理機制御部２７へ送信する。
【００７７】
モーションセンサ１３は、払い出し取引の窓口操作機１１への取引内容の入力前から、窓口操作機１１の端末操作部１５の周辺である端末操作部１５上の所定の検出可能空間Ａ内での窓口操作員の指先Ｆの動きを検出している。処理機制御部２７は、モーションセンサ１３による指先Ｆの動きの検出結果から、払い出し取引有りを予測した場合に、収納紙幣Ｓを払い出す払い出し動作の準備動作を紙幣収納部６３に実行させる。この場合も、払い出し動作の準備動作の開始後、窓口操作機１１への取引内容の入力（言い換えれば、窓口操作機１１の端末操作部１５による入力操作の受付）が行われても、処理機制御部２７は、これと並行して払い出し動作の準備動作を紙幣収納部６３に続けさせる。
【００７８】
例えば、端末操作部１５のうち払い出し取引特有で使用される払出取引特有キー１５ｇが、指先Ｆにより押圧されたことをモーションセンサ１３により検出すると、処理機制御部２７は、払い出し取引有りと予測し、紙幣収納部６３から収納紙幣Ｓを払い出す払い出し動作の準備動作として、収納部内シャッタ駆動部１０２およびフラップ駆動部９２を駆動して、図１０（ａ）に示すように収納部内シャッタ１０１を退避位置まで水平移動させるとともにフラップ９１，９１を開状態とする。その後、リフト駆動部１０６を駆動して、図１０（ｂ）に示すようにリフト１０５を上昇させて、その上に集積されている入金紙幣Ｓの最上位置のものを蹴出ローラ７９に接触させる繰出位置（紙幣量により異なる）まで上昇させる。つまり、払い出し動作の準備動作は、収納紙幣Ｓを支持するリフト１０５をそれよりも上部位置にある取込操出部７５に向けて上昇させる動作を含んでいる。ここで、モーションセンサ１３が検出する指先Ｆの動きからは払い出し取引有りを予測できていない状態であっても、後述するように窓口操作機１１の端末操作部１５に設けられた送信キー１５ａが払い出し取引の取引内容の入力完了後に押下されると、処理機制御部２７は、払い出し動作の準備動作を紙幣収納部６３に実行させる。払出取引特有キー１５ｇは複数あり、その中一つあるいは適宜の複数が、指先Ｆにより押圧されたことをモーションセンサ１３により検出すると、処理機制御部２７は、払い出し取引有りと予測する。
【００７９】
窓口操作機１１への払い出し取引の取引内容の入力完了後に、窓口操作員は、窓口操作機１１の端末操作部１５に設けられた送信キー１５ａを押下する。すると、処理機制御部２７は、図１０（ｂ）に示すようにリフト１０５がその上に集積されている入金紙幣Ｓの最上位置のものを蹴出ローラ７９に接触させる繰出位置まで上昇しているか否かを確認する。
【００８０】
上記した払い出し動作の準備動作によってリフト１０５が繰出位置まで上昇していれば、処理機制御部２７は、即座に紙幣収納部６３に以下の払い出し動作の本動作を実行させる。また、リフト１０５が繰出位置まで上昇していないものの、払い出し動作の準備動作によって、収納部内シャッタ１０１が退避位置に向けて水平移動中、または、その後のリフト１０５の上昇中のいずれかである場合に、処理機制御部２７は、リフト１０５が繰出位置に上昇するまで待機し、リフト１０５が繰出位置まで上昇すると即座に紙幣収納部６３に以下の払い出し動作の本動作を実行させる。また、収納部内シャッタ１０１が退避位置まで水平移動中でなくリフト１０５が上昇中でもない場合に、処理機制御部２７は、払い出し動作の準備動作を行わせて、リフト１０５が繰出位置に上昇するまで待機し、リフト１０５が繰出位置まで上昇すると即座に紙幣収納部６３に以下の払い出し動作の本動作を実行させる。
【００８１】
紙幣収納部６３の払い出し動作の本動作では、ローラ駆動部７６でメインローラ７７を逆回転させる。すると、これと同期回転する蹴出ローラ７９が収納紙幣Ｓを蹴り出し、メインローラ７７およびサブローラ７８が収納紙幣Ｓを最上位置のものから一枚ずつ分離して紙幣出金識別部６５に向け払い出す。払い出された入金紙幣Ｓは、紙幣出金識別部６５で識別され、正常に搬送されていると識別された紙幣Ｓが、紙幣出金振分部６６によって紙幣出金口５１に搬送される一方、重送や斜行等の搬送異常が発生した紙幣Ｓが紙幣出金振分部６６によって紙幣機内リジェクト部６７に搬送される。紙幣処理装置部６０によって払い出し取引で払い出すべきすべての収納紙幣Ｓが紙幣出金口５１に搬送されると、処理機制御部２７は、出金口シャッタ駆動部５６を駆動して紙幣出金口５１の出金口シャッタ５５を開く。これにより、紙幣出金口５１から払い出し紙幣Ｓが取り出される。
【００８２】
払い出し取引で払い出すべきすべての収納紙幣Ｓが紙幣収納部６３から繰り出されると、処理機制御部２７は、プッシャ駆動部８６およびリフト駆動部１０６で、図７（ａ）に示すようにプッシャ８５およびリフト１０５を、紙幣Ｓを挟持しながら下降させてリフト１０５を下限位置まで移動させる。その後、処理機制御部２７は、フラップ駆動部９２で、図７（ｂ）に示すようにフラップ９１，９１を閉状態にした後、プッシャ駆動部８６およびリフト駆動部１０６で、図８（ａ）に示すようにプッシャ８５およびリフト１０５を、紙幣Ｓを挟持しながら上昇させて、一対のフラップ９１，９１の押さえ部９４，９４とリフト１０５とで収納紙幣Ｓを挟持させる。この挟持後もプッシャ８５をそのまま上限位置まで上昇させることになり、その途中、プッシャ８５が収納部内シャッタ１０１よりも上側に位置すると、処理機制御部２７は、収納部内シャッタ駆動部１０２で図８（ｂ）に示すように収納部内シャッタ１０１を水平移動させて受入空間７０内の下限位置に戻す。払い出し取引の終了までに要する時間が、上記のように払い出し動作の準備動作の開始を早めることによって短縮可能となる。
【００８３】
処理機制御部２７は、常時、現金処理機１２の未使用状態の継続時間を計時しており、所定時間未使用状態が続くと、現金処理機１２を省電力状態とする。省電力状態では、例えば、処理機表示部２６の液晶画面のバックライトをオフし、現金処理機１２内に設けられたＤＣモータドライバに供給されている２４Ｖ電源をオフし、現金処理機１２内の搬送用駆動モータに供給されているＡＣ電源（１００Ｖ）をオフし、現金処理機１２内の貨幣の走行を検知する走行センサ回路の電源をオフする。なお、省電力状態としても現金処理機１２のセキュリティ上必要な監視センサ等への給電は維持する。処理機制御部２７は、省電力状態中に、モーションセンサ１３の検出結果から操作の開始有りを予測すると現金処理機１２の省電力状態を解除して通常状態とする。通常状態では、処理機表示部２６の液晶画面のバックライトをオンし、現金処理機１２内に設けられたＤＣモータドライバへの２４Ｖ電源をオンし、現金処理機１２内の搬送用駆動モータへのＡＣ電源（１００Ｖ）をオンし、現金処理機１２内の貨幣の走行を検知する走行センサ回路の電源をオンする。処理機制御部２７は、モーションセンサ１３による指先Ｆの動きの検出結果から、例えば、モーションセンサ１３による検出可能空間Ａ内に同一の指先Ｆが所定時間以上継続して存在している場合に、操作の開始有りを予測する。
【００８４】
以上に述べた本実施形態の現金処理システム１０によれば、処理機制御部２７が、窓口操作機１１の端末操作部１５の周辺での指先Ｆの動きを検出するモーションセンサ１３の検出結果から取引を予測してこの取引に対応する準備動作を紙幣収納部６３に実行させる。これにより、所定のキー操作入力である送信キー１５ａ、キャンセルキー１５ｂ、承認キー１５ｃおよび入金キー２５ａの押下操作が行われる前に、予測した取引に対応する準備動作を紙幣収納部６３に開始させることができるため、取引の時間を短縮することができる。したがって、業務効率向上ならびに顧客サービス向上を図ることができる。
【００８５】
つまり、モーションセンサ１３の検出結果から入金取引有りを予測した場合に、処理機制御部２７は、入金紙幣Ｓを取り込む入金動作の準備動作を紙幣収納部６３に実行させる。これにより、入金取引有りを判断できる所定のキー操作入力である、現金処理機１２の処理機操作部２５に設けられた入金キー２５ａの押下操作を待たずに、入金紙幣Ｓを取り込む入金動作の準備動作を紙幣収納部６３に開始させることができる。よって、その後、現金処理機１２の処理機操作部２５に設けられたスタートキー２５ｂが押下されると紙幣収納部６３にて実行される入金動作の本動作の開始を早めることができる。したがって、入金取引の処理時間を短縮することができ、入金取引を行う際の業務効率向上ならびに顧客サービス向上を図ることができる。
【００８６】
具体的に、モーションセンサ１３の検出結果から入金取引有りを予測した場合に、処理機制御部２７は、紙幣収納部６３の入金動作の準備動作として、入金紙幣Ｓを受け取る収納部内シャッタ１０１を上部の取込操出部７５に向けて上昇させて取込開始位置に位置させる。したがって、入金取引において比較的時間を要する動作である収納部内シャッタ１０１の上昇動作の開始を早めるため、入金取引の処理時間を確実に短縮することができ、入金取引を行う際の業務効率向上ならびに顧客サービス向上を確実に図ることができる。
【００８７】
また、モーションセンサ１３の検出結果から払い出し取引有りを予測した場合に、処理機制御部２７は、収納紙幣Ｓを払い出す払い出し動作の準備動作を紙幣収納部６３に実行させる。これにより、払い出し取引有りを判断できる所定のキー操作入力である、窓口操作機１１の端末操作部１５に設けられた送信キー１５ａの押下操作を待たずに、収納紙幣Ｓを払い出す払い出し動作の準備動作を紙幣収納部６３に開始させることができる。よって、その後、窓口操作機１１の端末操作部１５に設けられた送信キー１５ａが押下されると紙幣収納部６３にて実行される払い出し動作の本動作の開始を早めることができる。したがって、払い出し取引の処理時間を短縮することができ、払い出し取引を行う際の業務効率向上ならびに顧客サービス向上を図ることができる。
【００８８】
具体的に、モーションセンサ１３の検出結果から払い出し取引有りを予測した場合に、処理機制御部２７は、紙幣収納部６３の払い出し動作の準備動作として、収納部内シャッタ１０１を退避位置に水平移動させるとともにフラップ９１，９１を開作動させ、その後、収納紙幣Ｓを支持するリフト１０５を上部の取込操出部７５に向けて上昇させて、収納紙幣Ｓの最上位置のものを蹴出ローラ７９に接触させる繰出位置に位置させる。したがって、払い出し取引において比較的時間を要する動作である、収納部内シャッタ１０１の退避位置への水平移動およびリフト１０５の上昇動作の開始を早めるため、払い出し取引の処理時間を確実に短縮することができ、払い出し取引を行う際の業務効率向上ならびに顧客サービス向上を確実に図ることができる。
【００８９】
加えて、窓口操作機１１の端末操作部１５の周辺での指先の動きを、窓口操作機１１とは別に設けられたモーションセンサ１３によって間接的に検出して取引を予測することから、窓口操作機１１側の変更を要することなく、現金処理機１２側の変更のみで対応可能となる。したがって、コスト増を抑制することができる。
【００９０】
また、処理機制御部２７が、モーションセンサ１３の検出結果から操作の開始有りを予測すると現金処理機１２の省電力状態を解除して通常状態に戻すため、所定のキー操作入力を待たずに、省電力状態にある現金処理機１２を動作可能な状態とすることができる。したがって、この点からも業務効率向上ならびに顧客サービス向上を図ることができる。
【００９１】
また、処理機制御部２７を有する現金処理機１２にモーションセンサ１３が直接接続されていることから、窓口操作機１１を介することなく、モーションセンサ１３の検出結果から処理機制御部２７が取引を予測してこの取引に対応する準備動作を現金処理機１２の紙幣収納部６３に実行させることができる。したがって、コスト増を抑制することができる。
【符号の説明】
【００９２】
１０  現金処理システム
１１  窓口操作機
１２  現金処理機
１３  モーションセンサ
１５  端末操作部（入力手段）
２７  処理機制御部（制御手段）
６３  紙幣収納部
７５  取込操出部（紙幣取込部，紙幣払出部）
１０１  収納部内シャッタ（受取部材）
１０５  リフト（支持部材）
Ｆ  指先
Ｓ  紙幣
【図１】
2016009295.tif 000003
【図２】
2016009295.tif 000004
【図３】
2016009295.tif 000005
【図４】
2016009295.tif 000006
【図５】
2016009295.tif 000007
【図６】
2016009295.tif 000008
【図７】
2016009295.tif 000009
【図８】
2016009295.tif 000010
【図９】
2016009295.tif 000011
【図１０】
2016009295.tif 000012